(57)【要約】【課題】  部屋の入口のみにカードリーダを設けることで、アンチパスバックチェック機能を備えた入退室管理装置を得ること。【解決手段】  第１判定部２４はカード４に付された第１識別番号と記憶部２２から読み出された第２識別番号とが一致するか否かを判定し、一致していると、第１パスワード生成部２５が第１パスワードを生成し、表示制御部２６が表示器５に第１パスワードを表示する。第１解除部２８は表示器５に第１パスワードを表示した後、部屋２の扉７に設けられた電気錠１１を解除し、第１記憶命令部２７は電気錠１１が解除した第１解除信号を記憶部２２に記憶させ、第２解除部２９は第１パスワードが入力器９から入力され、記憶部２２に第１解除手段信号が記憶されていることにより電気錠１１を解除した。【選択図】      図２
2007120173.tif 000002
【特許請求の範囲】
【請求項１】
部屋の入室側に設けられ、カードに付された第１識別番号を読み取るカードリーダと、
前記入室側に設けられた数字などを表示する表示器と、
退室側に設けられた数字などを入力する入力器と、
前記部屋の入室が許可される第２識別番号を記憶した記憶手段と、
前記第１識別番号と前記記憶手段から読み出された第２識別番号とが一致するか否かを判定する第１判定手段と、
前記第１判定手段の結果が一致していると、第１パスワードを生成する第１パスワード生成手段と、
前記表示器に前記第１パスワードを表示する表示制御手段と、
前記表示器に前記第１パスワードを表示した後、前記部屋の扉に設けられた電気錠を解除する第１解除手段と、
前記第１解除手段により前記電気錠が解除した第１解除信号を前記記憶手段に記憶させる第１記憶命令手段と、
前記第１パスワードが前記入力器から入力され、前記記憶手段に前記第１解除手段信号を有することにより前記電気錠を解除する第２解除手段と、
を備えたことを特徴とする入退室管理装置。
【請求項２】
部屋の入室側に設けられ、カードに付された第１識別番号を読み取るカードリーダと、
前記入室側に設けられた数字などを表示する表示器と、
退室側に設けられた数字などを入力する入力器と、
前記部屋の入室が許可される第２識別番号を記憶すると共に、これまでに発行された第１パスワードが記憶された記憶手段と、
前記第１識別番号と記憶された第２識別番号とを比較して一致するか否かを判定する第１判定手段と、
前記第１判定手段の結果が一致していると、第３パスワードを生成する第２パスワード生成手段と、
前記第３パスワードが前記記憶手段から読み出された第１パスワードと重複するか否かを判定する第２判定手段と、
前記第２判定手段の結果が重複していないと、前記部屋の扉に設けられた電気錠を解除する第３解除手段と、
前記第２判定手段の結果が重複していないと、前記第３パスワードを前記表示器に表示する表示制御手段と、
前記第３解除手段により前記電気錠が解除した第３解除信号を前記記憶手段に記憶させる第２記憶命令手段と、
前記第３パスワードが前記入力器から入力され、前記記憶手段に前記第３解除信号を有することにより前記電気錠を解除する第４解除手段と、
を備えたことを特徴とする入退室管理装置。
【発明の詳細な説明】
【技術分野】
【０００１】
本発明は、入室及び退室を管理する入退室管理装置に関するものである。
【背景技術】
【０００２】
従来の入退室管理装置は、安全性を高めるためにアンチパスバックチェック機能を有しているものがある。アンチパスバックチェック機能とは、同じ人がその部屋に入室又は退室することを禁止する機能をいい、かかる機能を実現するには下記特許文献１に示すように、部屋の入口側と出口側に設けられたＩＤ判別装置としてのカードリーダで、ＩＤカードの照合結果がＯＫ時には、ドアの電気錠を解錠して入退室が可能になされている。
上記入退室管理装置によれば、アンチパスバックチェック機能も備え、ＩＤカードを所有していないと、入退室できないので、安全管理上好ましい。
【特許文献１】特公平８−３１１４５号公報
【発明の開示】
【発明が解決しようとする課題】
【０００３】
しかし、上記入退室管理装置は、アンチパスバックチェック機能も備えるために部屋の入口側と出口側にそれぞれカードリーダを備えているので、複雑な構成になるという問題点があった。
【０００４】
本発明は上記課題を解消するためになされたもので、部屋の入口のみにカードリーダを設けることで、アンチパスバックチェック機能を備えた入退室管理装置を提供することを目的とする。
【課題を解決するための手段】
【０００５】
第１の発明に係る入退室管理装置は、部屋の入室側に設けられ、カードに付された第１識別番号を読み取るカードリーダと、前記入室側に設けられた数字などを表示する表示器と、退室側に設けられた数字などを入力する入力器と、前記部屋の入室が許可される第２識別番号を記憶した記憶手段と、前記第１識別番号と前記記憶手段から読み出された第２識別番号とが一致するか否かを判定する第１判定手段と、前記第１判定手段の結果が一致していると、第１パスワードを生成する第１パスワード生成手段と、前記表示器に前記第１パスワードを表示する表示制御手段と、前記表示器に前記第１パスワードを表示した後、前記部屋の扉に設けられた電気錠を解除する第１解除手段と、前記第１解除手段により前記電気錠が解除した第１解除信号を前記記憶手段に記憶させる第１記憶命令手段と、前記第１パスワードが前記入力器から入力され、前記記憶手段に前記第１解除手段信号を有することにより前記電気錠を解除する第２解除手段と、を備えたことを特徴とするものである。
【０００６】
第２の発明に係る入退室管理装置は、部屋の入室側に設けられ、カードに付された第１識別番号を読み取るカードリーダと、前記入室側に設けられた数字などを表示する表示器と、退室側に設けられた数字などを入力する入力器と、前記部屋の入室が許可される第２識別番号を記憶すると共に、これまでに発行された第１パスワードが記憶された記憶手段と、前記第１識別番号と記憶された第２識別番号とを比較して一致するか否かを判定する第１判定手段と、前記第１判定手段の結果が一致していると、第３パスワードを生成する第２パスワード生成手段と、前記第３パスワードが前記記憶手段から読み出された第１パスワードと重複するか否かを判定する第２判定手段と、前記第２判定手段の結果が重複していないと、前記部屋の扉に設けられた電気錠を解除する第３解除手段と、前記第２判定手段の結果が重複していないと、前記第３パスワードを前記表示器に表示する表示制御手段と、前記第３解除手段により前記電気錠が解除した第３解除信号を前記記憶手段に記憶させる第２記憶命令手段と、前記第３パスワードが前記入力器から入力され、前記記憶手段に前記第３解除信号を有することにより前記電気錠を解除する第４解除手段と、を備えたことを特徴とするものである。
【発明の効果】
【０００７】
第１の発明によれば、第１判定手段はカードに付された第１識別番号と記憶手段から読み出された第２識別番号とが一致するか否かを判定し、一致していると、第１パスワード生成手段が第１パスワードを生成し、表示制御手段が表示器に第１パスワードを表示する。第１解除手段は表示器に第１パスワードを表示した後、部屋の扉に設けられた電気錠を解除し、第１記憶命令手段は電気錠が解除した第１解除信号を記憶手段に記憶させ、第２解除手段は第１パスワードが前記入力器から入力され、記憶手段に第１解除手段信号を有することにより電気錠を解除した。これにより、部屋の入室側のみにカードリーダを設けることで、同じ人がその部屋に入室又は退室することを禁止する機能を備えることができるという効果がある。
【０００８】
第２の発明によれば、第１判定手段は第１識別番号と記憶された第２識別番号とを比較して一致するか否かを判定し、一致していると、第２パスワード生成手段が第３パスワードを生成し、第２判定手段は第３パスワードが前記記憶手段から読み出された第１パスワードと重複するか否かを判定すると、第３解除手段は第２判定手段の結果が重複していないと、部屋の扉に設けられた電気錠を解除し、表示制御手段は第２判定手段の結果が重複していないと、第３パスワードを前記表示器に表示する。第２記憶命令手段は第３解除手段により電気錠が解除した第３解除信号を記憶手段に記憶し、第４解除手段は第３パスワードが入力器から入力され、記憶手段に第３解除信号を有することにより電気錠を解除した。これにより、部屋の入室側のみにカードリーダを設けることで、第３パスワードを重複することなく、発行して該第３パスワードを用いて、同じ人がその部屋に入室又は退室することを禁止する機能を備えることができるという効果がある。
【発明を実施するための最良の形態】
【０００９】
実施の形態１．
本発明の一実施の形態を図１及び図２によって説明する。図１は一実施の形態を示す入退室管理装置が設けられた部屋の断面平面図(a)、正面図(b)、図２は図１に示す入退室管理装置の全体ブロック図である。
図１において、部屋２には、扉７が設けられており、該扉７の開閉により入退室できるように形成されている。
入退室管理装置は部屋２の入室側には、カード４に付された第１識別番号を読み取るカードリーダ３と、数字、英字などを表示する表示器５とが設けられている。部屋２の退室側に設けられた数字、英字などを入力する入力器９が設けられている。
扉７には、ノブ７aが設けられており、電気信号によりオートロックできる電気錠１１が取付けられている。カードリーダ３には、カード４に付された識別番号を読み取るリーダヘッド部３ａが設けられている。
【００１０】
図２において、制御装置２０は、周知のＣＰＵ、ＲＡＭ、ＲＯＭ、インターフェイス等から構成されており、記憶部２２には、入室が許可される複数の識別番号としての第２識別番号が記憶されている。
制御装置２０には、カード４に付された第１識別番号と記憶部２２に記憶された第２識別番号とを比較して一致するか否かを判定する第１判定手段としての判定部２４と、第１判定手段の結果が一致していると、部屋２の扉７に設けられた電気錠１１を解除する第１解除部２８と、第１判定手段の結果が一致していると、第１パスワードを生成すると共に、記憶部２２に第１パスワードを記憶し、表示器５に第１パスワードを表示する第１パスワード生成部２６と、第１解除手段が解除した第１解除信号を記憶部２２に記憶させる第１記憶命令部２７と、第１パスワードが入力器９から入力され、記憶部２２に第１解除信号を有するとの情報に基づき電気錠１１を解除する第２解除部２９とを備えている。
【００１１】
上記のように構成された入退室管理装置の動作を図１から図３を参照して説明する。図３は図1による入退室管理装置の動作を示すフローチャートである。
いま、カード４をカードリーダ３のリーダヘッド部３ａでカード４に付された第１識別番号を読み取り(ステップＳ１０１)、第１判定部２４は、記憶部２２に記憶された多数の第２識別番号を読出し、第１識別番号と一致するか否かにより入室可能か否かを判断し(ステップＳ１０３)、可能であれば、第１パスワード生成部２６が第１パスワードを生成し(ステップＳ１０５)、表示制御部２６が第１パスワードを表示器５に表示すると共に、記憶部２２に記憶する(ステップＳ１０９)。カード４の所有者は、該第１パスワードを覚える。
【００１２】
第１解除部２８は、電気錠１１を解除して扉７を開閉可能にすると共に、記憶部２２に上記解除したことを示す第１解除信号を記憶する(ステップＳ１１１)。カード４の所有者が扉７を開放して部屋２に入室する。やがて、カード４の所有者が部屋２の外に出たい場合には、該所有者が第１パスワードを入力器９に入力すると(ステップＳ１１３)、第１判定部２４は記憶部２２に第1解除信号が記憶されている否かを判定し(ステップＳ１１５)、第１解除信号があれば、第２解除部２９は、電気錠１１を解除して扉７を開閉可能にする(ステップＳ１１７)。カード４の所有者が扉７を開放して部屋２から退室する。
【００１３】
上記実施形態の入退室管理装置によれば、第１判定部２４はカード４に付された第１識別番号と記憶部２２から読み出された第２識別番号とが一致するか否かを判定し、一致していると、第１パスワード生成部２５が第１パスワードを生成し、表示制御部２６が表示器５に第１パスワードを表示する。第１解除部２８は表示器５に第１パスワードを表示した後、部屋２の扉７に設けられた電気錠１１を解除し、第１記憶命令部２７は電気錠１１が解除した第１解除信号を記憶部２２に記憶させ、第２解除部２９は第１パスワードが入力器９から入力され、記憶部２２に第１解除手段信号が記憶されていることにより電気錠１１を解除した。これにより、部屋２の入室側のみにカードリーダ３を設けることで、同じ人がその部屋２に入室又は退室することを禁止する機能を備えることができるという効果がある。
【００１４】
実施の形態２．
本発明の他の実施の形態を図１及び図４によって説明する。図４は図１に示す入退室管理装置の全体ブロック図である。図４中、図２と同一符号は同一又は相当部分を示し、説明を省略する。
【００１５】
図２において、制御装置１２０は、周知のＣＰＵ、ＲＡＭ、ＲＯＭ、インターフェイス等から構成されており、記憶部1２２には、入室が許可される複数の識別番号としての第２識別番号と、これまでに発行された第1パスワードが記憶されている。
制御装置1２０には、カード４に付された第１識別番号と記憶部２２に記憶された第２識別番号とを比較して一致するか否かを判定する第1判定部１２４と、第１判定部１２４の結果が一致していると、第３パスワードを生成する第２パスワード生成部１２５と、第３パスワードが記憶部１２２から読み出された第１パスワードと重複するか否かを判定する第２判定部１２４と、第２判定部１２４の結果が重複していないと、部屋２の扉７に設けられた電気錠１１を解除する第３解除部１２８と、第２判定部１２４の結果が重複していないと、第３パスワードを表示器５に表示する表示制御部１２６と、第３解除部１２８により電気錠１１が解除した第３解除信号を記憶部１２２に記憶させる第２記憶命令部１２７と、第３パスワードが入力器９から入力され、記憶部１２２に第３解除信号が記憶されていることにより電気錠１１を解除する第４解除部１２９とを備えている。
【００１６】
上記のように構成された入退室管理装置の動作を図１，図４，図５を参照して説明する。図５は図４による入退室管理装置の動作を示すフローチャートである。
いま、カード４をカードリーダ３のリーダヘッド部３ａでカード４に付された第１識別番号を読み取り(ステップＳ１０１)、第１判定部１２４は、記憶部１２２に記憶された多数の第２識別番号を読出し、第１識別番号と一致するか否かを判断し(ステップＳ１０３)、可能であれば、第２パスワード生成部１２５が第３パスワードを生成する(ステップＳ２０５)。
【００１７】
第２判定部１２４は、第３パスワードが記憶部１２２から読み出された第１パスワードと一致しているか否かを判定し(ステップＳ２０７)、一致していれば、上記ステップＳ２０５，Ｓ２０５を実行する。一致しなくなると、表示制御部１２６が第３パスワードを表示器５に表示すると共に、記憶部１２２に記憶する(ステップＳ２０９)。カード４の所有者は、該第３パスワードを覚える。
【００１８】
第３解除部１２８は、電気錠１１を解除して扉７を開閉可能にすると共に、記憶部２２に上記解除したことを示す第３解除信号を記憶する(ステップＳ２１１)。カード４の所有者が扉７を開放して部屋２に入室する。やがて、カード４の所有者が部屋２の外に出たい場合には、該所有者が第３パスワードを入力器９に入力すると(ステップＳ２１３)、第２判定部１２４は記憶部１２２に第３解除信号が記憶されている否かを判定し(ステップＳ２１５)、第３解除信号があれば、第４解除部１２９は、電気錠１１を解除して扉７を開閉可能にする(ステップＳ２１７)。カード４の所有者が扉７を開放して部屋２から退室する。
【００１９】
上記実施形態の入退室管理装置によれば、第１判定部１２４は第１識別番号と記憶された第２識別番号とを比較して一致するか否かを判定し、一致していると、第２パスワード生成部１２５が第３パスワードを生成し、第２判定部１２４は第３パスワードが記憶部１２２から読み出された第１パスワードと重複するか否かを判定すると、第３解除部１２８は第２判定手段の結果が重複していないと、部屋２の扉７に設けられた電気錠１１を解除し、表示制御部１２６は第２判定部１２４の結果が重複していないと、第３パスワードを表示器５に表示する。第２記憶命令部１２７は第３解除部１２８により電気錠１１が解除した第３解除信号を記憶部１２２に記憶し、第４解除部１２９は第３パスワードが入力器９から入力され、記憶部１２２に第３解除信号を有することにより電気錠１１を解除した。これにより、部屋２の入室側のみにカードリーダ３を設けることで、第３パスワードを重複することなく、発行して該第３パスワードを用いて、同じ人がその部屋２に入室又は退室することを禁止する機能を備えることができるという効果がある。
【産業上の利用可能性】
【００２０】
本発明は、入退室管理装置に適用できる。
【図面の簡単な説明】
【００２１】
【図１】本発明の一実施の形態を示す入退室管理装置が設けられた部屋の断面平面図(a)、正面図(b)である。
【図２】図１に示す入退室管理装置の全体ブロック図である。
【図３】図1による入退室管理装置の動作を示すフローチャートである。
【図４】本発明の他の実施形態を示す入退室管理装置の全体ブロック図である。
【図５】図４による入退室管理装置の動作を示すフローチャートである。
【符号の説明】
【００２２】
２  部屋、３  カードリーダ、４  カード、５  表示器、７  扉、９  入力器、１１  電気錠、２２，１２２  記憶部、２４  第１判定部、２５  第１パスワード生成部、２６，１２６  表示制御部、２７  第１記憶命令部、２８  第１解除部、２９  第２解除部、１２４  第１・第２判定部、１２５  第２パスワード生成部、１２７  第２記憶命令部、１２８  第３解除部、１２９  第４解除部。
【図１】
2007120173.tif 000003
【図２】
2007120173.tif 000004
【図３】
2007120173.tif 000005
【図４】
2007120173.tif 000006
【図５】
2007120173.tif 000007